(57)【要約】【課題】高輝度の光源を必要とする投影装置において、発熱等による異常が起きた場合、突然電源が遮断されたり、ユ−ザがその異常に気づかなかったりすることがある。また、ユ−ザが、装置にどのような異常が起こっているのか、どの程度危険な状態なのかがわかりにくいということがあった。【解決手段】本発明では、投影画面上で異常状態を表示させ、その点滅速度又は表示サイズを異常状態のレベルに応じて変化させることにより、ユ−ザに視覚的・直感的に気づかせることが可能となる。また、ランプの照度を異常状態に応じて段階的に制御を繰り返すことにより、装置内部の温度を調整する。【選択図】  図１
2004309691.tif 000002
【特許請求の範囲】
【請求項１】
光源を用いて入力信号を投影する投影装置で、装置内の異常状態検出手段を有し、異常状態を外部出力する手段を備えた投影装置において、前記異常状態のレベルを判別する手段を有し、異常状態のレベルに応じ、異常状態の外部出力表示を、点滅速度決定手段と、表示サイズ決定手段との少なくとも一方の手段を変化させて投影画像上に表示する手段を備えることを特徴とした投影装置。
【請求項２】
前記記載の投影装置において、前記異常状態検出手段により温度異常状態が検出された場合に、ランプ照度を制御する手段を持つ投影装置であって、温度異常状態の解消手段として、異常状態のレベルに応じ装置内部の温度異常状態が解除されるレベルまで、ランプ照度を段階的に落とす制御を繰り返す手段を持ち、装置内部の温度異常状態を解消することを特徴とした投影装置。
【発明の詳細な説明】
【０００１】
【発明の属する技術分野】
本発明は、光源を用いて入力信号を投影する投影装置に関するものであり、特に装置の異常状態における対処機能を備えた投影装置に関する。
【０００２】
【従来の技術】
映像投影装置、例えばプロジェクタなどは、画像を表示させる手段として、映像信号に応じた光学画像を投影レンズによりスクリ−ン上に拡大投射させる仕組みになっている。
【０００３】
このような表示装置では、比較的大きな発熱を伴う高輝度の光源を必要とすることから、一般的に装置内部の温度に応じて冷却用ファンの回転数を可変させ送風することにより、装置内部の温度上昇を抑制する仕組みが用いられている。
【０００４】
しかし、冷却用ファンの異常停止や、上記光源や該光源を駆動する電源の発熱等何らかの原因により、装置内部の温度が異常に上昇すると、装置内部の回路が破壊されたり、火災が発生したりする等の恐れがある。
【０００５】
そこで、装置内部の異常を検出するために温度センサや冷却用ファンの回転検出器等などが備えられており、これらの各種検出出力に応じて警告表示をおこなうとともに警告表示部における発光素子の点滅による警告表示を行い、一定時間異常状態が継続することで自動的に光源の電源を遮断している。
【０００６】
上記のような映像投影装置は、特許文献１、特許文献２等に開示されている。
【０００７】
【特許文献１】
特開平７−３３３５７１号公報
【特許文献２】
特開平９−６１７７７号公報
【０００８】
【発明が解決しようとする課題】
上述の装置を用いることで、ユ−ザは装置の電源が停止した理由を知ることができ、装置内部で異常が起きているということを知ることができる。しかしながら、上述の装置では、ユ−ザは電源が停止する前に装置内部で発生した異常がどのようなもので、どの程度危険な状態なのかを知ることができないという課題がある。また光源の電源が自動的に遮断されるため、ユ−ザが警告表示に気がつかなかった場合、突然光源の電源が遮断されるという状態になってしまう。
【０００９】
さらに、装置内部の温度を下げる方法としては装置内部のＦＡＮを用いることが一般的ではあるが、装置内部が温度異常状態になった場合はＦＡＮの回転数を制御するだけでは不十分な場合が多く、より効果的に装置内部の温度制御がおこなえる別の手段が必要不可欠となる。
【００１０】
また、ユ−ザが警告表示を見た際に、装置に対してどのように処置すれば良いかわからないという課題もあった。
【００１１】
本発明は、上記課題を解決するためになされたものであり、どのような異常状態が起こったのかをユ−ザに気づかせるとともに、どの程度危険な異常状態なのかを直感的に知らせ、ユ−ザ自身に自発的に電源を遮断させるなどの手段を行ってもらう、また装置内部温度が異常状態になった際の新たな温度制御方法として、従来のＦＡＮ制御に加えて、ランプ照度制御を用いて装置が自動で温度異常状態を解消することを目的とする。
【００１２】
【課題を解決するための手段】
上記目的を達成するために、本発明は、装置内の異常状態検出手段を持ち、光源を用いて入力信号を投影する投影装置であって、異常状態の重大度を投影画像上に効果的に出力する手段を備えることを特徴とする。
【００１３】
また、異常状態の重大度を投影画像上に効果的に出力する手段は、異常状態を表す表示を、点滅速度決定手段、表示サイズ決定手段の両方、またはどちらか一方を変化させて投影画像上に表示する手段を備えることを特徴とする。
【００１４】
そして、点滅速度決定手段と、表示サイズ決定手段において、そのどちらか一方のみの使用、両方の使用、両方使用せず、を選択する手段を備えることを特徴とする。
【００１５】
さらに、ランプ照度制御手段を持ち、前記異常状態が温度異常状態である場合、その重大度に応じて、ランプ照度を制御することを特徴とし、装置内部の温度が異常状態まで上昇した際、装置内部の温度が減少し始める照度までランプ照度を落とす制御を繰り返すことで、装置内部の温度異常状態を解消することを特徴とする。
【００１６】
【発明の実施の形態】
以下、本発明に係る投影装置の一実施形態を詳細に説明する。本発明に係る投影装置は、例えば図１に示すように構成される。この投影装置は、表示手段により入力映像を投影するもので、スクリ−ンに画像を投影するようになっている。
【００１７】
温度センサ１が検出した情報はシステムマイコン２の温度状態検出手段２−Ａに入り、その検出値に応じ、ＦＡＮ制御手段２−Ｄ、ランプ照度調整手段２−Ｅ、表示手段４の光源４−Ａを用いてそれぞれＦＡＮ１〜Ｎの回転数、光源の明るさ調整の制御を行う。また、ＦＡＮ制御手段２−ＤはＦＡＮ群３に接続されていて、それぞれのＦＡＮ回転数の制御を行う。ランプ照度調整手段２−Ｅでは光源の明るさの制御を行う。
【００１８】
システムマイコン２内の温度状態検出手段２−Ａが検出した温度情報は一定周期で監視され、検出した装置内部の温度が一定の値を超えると、ＯＳＤ等により投影画面上に警告を表示し、セットの電源を切るようにユ−ザにメッセ−ジを表示する。
【００１９】
警告表示開始温度より装置内部の温度が下がった場合は、警告表示を消す。逆に、装置内部の温度が警告表示開始温度より上昇した場合、以下の図２で示すような関係と、点滅速度決定手段２−Ｂ、表示サイズ決定手段２−Ｃを用いて、警告表示の点滅速度をあげたり、警告表示サイズを拡大したりする。
【００２０】
この２つの動作は例えばメニュ−などから、ユ−ザが容易に変えることができ、どちらか一方しか使用しない、どちらも使用しない、両方使用する、と選択することができるようになっている。
【００２１】
さらに装置内部の温度が上昇し、異常表示開始温度を超えると、温度警告表示は温度異常表示に変化し、点滅速度、表示サイズは一定になる。この状態に達すると、システムマイコン２のランプ照度調整手段２−Ｅはランプ照度調整手段を用いて、光源の明るさを落とし、ＦＡＮ制御手段２−Ｄを用いて、ＦＡＮの回転数を上げる。そして、投影画面上に強制ク−リングを行っているという内容を表示する。
【００２２】
ランプ照度調整手段は装置内部の温度変化が下降する方向になるまで光源の明るさを落とす。この動作により、装置内部の温度が警告表示開始温度以下に下がった場合は、システムマイコン２は温度異常表示を消し、ランプ照度調整手段を用いて、光源の明るさを元の明るさに戻す。
【００２３】
強制ク−リングをおこなっても、装置内の温度が下がらず、逆に強制シャットダウン温度を超えてしまった場合は、早急に装置の電源を切ることを促す表示を投影画面に表示し、その後一定時間経過しても装置の電源が切れていない場合には、強制的に装置の光源電源を落とすといった内容を投影画像上に表示して、強制的にランプを消し、ＦＡＮ群２を高速回転させ、装置内のク−リングを行う。
【００２４】
【発明の効果】
以上の説明からも明らかなように、本発明に係る投影装置では、装置内部の異常状態をその異常レベルに応じて、点滅速度、表示サイズを変えた表示を投影画像上に表示することができる。また、投影画像上に効果的に表示することにより、ユ−ザが本装置を用いてプレゼンテ−ション等を行っている途中に異常状態が発生した場合でも、危険を直感的に知らせることができ、ユ−ザが自発的に装置の電源をＯＦＦすることを促すことができる。
【００２５】
装置内の温度異常状態が続いても、光源の明るさを落としＦＡＮの回転数を上げることで、光源電源が突然切れることがないため、継続使用を可能とし、投影画面上に強制ク−リングを行っているという内容の表示が出ることからもユ−ザを驚かせることはない。
【００２６】
強制シャットダウン温度に達してしまった場合でも、光源の電源を自動的に落とすことで、装置を焼損から守ることができる。さらに、強制ク−リングにより、装置内部の温度が正常値に戻れば、光源の明るさも元に戻り、通常状態に復帰することからも、温度異常だからといって光源の電源を突然落として操作を中断させたり、ユ−ザに不安を抱かせたりすることもない。
【図面の簡単な説明】
【図１】投影装置全体の構成図である。
【図２】装置内温度と警告表示サイズ、点滅速度との関係図である。
【符号の説明】
１  温度センサ
２  システムマイコン
２−Ａ    温度状態検出手段
２−Ｂ    点滅速度決定手段
２−Ｃ    表示サイズ決定手段
２−Ｄ    ＦＡＮ制御手段
２−Ｅ    ランプ照度調整手段
２−Ｆ    伝達手段
３  ＦＡＮ群
４  表示手段
４−Ａ    光源
【図１】
2004309691.tif 000003
【図２】
2004309691.tif 000004